(57)【要約】【課題】監視対象者のグループ構成に関するデータを、確実に取得する端末装置を提供する。【解決手段】携帯端末１００からログ情報を受信する通信部１５４と、受信したログ情報から、ログ情報に記録されている受信時刻または通信時刻およびＩＤに基づいて、ＩＤに対応する携帯端末が属するグループを抽出し、抽出したグループをグループに属する携帯端末のＩＤとともにＨＤＤ１５６に登録するグループ抽出部１５２と、ＨＤＤ１５６に登録済みのグループがあるか否かを判断し、登録済みのグループがある場合には、新たに登録されたグループが登録済みのグループと同一であるか否かを判断するグループ判断部１５３と、を備えた。【選択図】図２
2010176558.tif 000002
【特許請求の範囲】
【請求項１】
端末装置と、前記端末装置にネットワークで接続された監視センタとを備えたグループ情報監視システムであって、
前記端末装置は、
第１の記憶部と、
所定の時間間隔で、所定の距離の範囲内に他の端末装置から、前記他の端末装置を一意に識別するための識別情報を無線通信により受信することにより、前記他の端末装置の存在を検知する近接通信部と、
前記他の端末装置から前記識別情報を受信した場合には、受信時刻と受信した前記識別情報とを対応付けてログ情報として前記第１の記憶部に記録し、前記他の端末装置から前記識別情報を受信しなかった場合には、前記近接通信部による通信時刻を前記ログ情報として前記第１の記憶部に記録するログ記録部と、
前記ログ情報を前記監視センタに送信する第１の通信部と、
を備え、
前記監視センタは、
第２の記憶部を備え、
前記端末装置から前記ログ情報を受信する第２の通信部と、
受信した前記ログ情報から、前記ログ情報に記録されている前記受信時刻または前記通信時刻および前記識別情報に基づいて、前記識別情報に対応する前記端末装置が属するグループを抽出し、抽出した前記グループを前記グループに属する前記端末装置の前記識別情報とともに前記第２の記憶部に登録するグループ抽出部と、
前記第２の記憶部に登録済みのグループがあるか否かを判断し、前記登録済みのグループがある場合には、新たに登録された前記グループが前記登録済みのグループと同一であるか否かを判断するグループ判断部と、を備え、
前記第２の通信部は、前記新たに登録されたグループが前記登録済みのグループと異なる場合に、前記端末装置を監視する利用者の携帯端末にグループに属する前記端末装置が変更された旨を通知すること、
を特徴とするグループ情報監視システム。
【請求項２】
前記グループ抽出部は、前記ログ情報に記録されている前記識別情報のうち、所定の期間に亘り前記受信時刻に対応付けて記録されている識別情報に対応する前記端末装置を、同一のグループとして抽出し、抽出した前記グループを前記第２の記憶部に登録すること、
を特徴とする請求項１に記載のグループ情報監視システム。
【請求項３】
前記グループ抽出部は、前記ログ情報に記録されている前記識別情報のうち、受信された回数が所定の回数以上の前記識別情報に対応する前記端末装置を、同一のグループとして抽出し、抽出した前記グループを前記第２の記憶部に登録すること、
を特徴とする請求項１に記載のグループ情報監視システム。
【請求項４】
前記第２の通信部は、前記新たに登録された前記グループが所定の期間連続して前記登録済みのグループと異なる場合に、前記携帯端末にグループに属する前記端末装置が変更された旨を通知すること、
を特徴とする請求項１に記載のグループ情報監視システム。
【請求項５】
前記近接通信部は、前記他の端末装置を検知した場合に、当該他の端末装置の前記識別情報に加えて当該他の端末装置が検知した前記端末装置の識別情報を受信すること、
を特徴とする請求項１に記載のグループ情報監視システム。
【請求項６】
端末装置と監視センタで実行されるグループ情報監視方法であって、
前記端末装置が、所定の時間間隔で、所定の距離の範囲内に他の端末装置から、前記他の端末装置を一意に識別するための識別情報を無線通信により受信することにより、前記他の端末装置の存在を検知する近接通信ステップと、
前記端末装置が、前記他の端末装置から前記識別情報を受信した場合には、受信時刻と受信した前記識別情報とを対応付けてログ情報として前記第１の記憶部に記録し、前記他の端末装置から前記識別情報を受信できなかった場合には、前記近接通信部による通信時刻を前記ログ情報として前記第１の記憶部に記録するログ記録ステップと、
前記端末装置が、前記ログ情報を前記監視センタに送信する第１の通信ステップと、
前記監視センタが、前記端末装置から前記ログ情報を受信する第２の通信ステップと、
前記監視センタが、受信した前記ログ情報から、前記受信時刻と受信した前記識別情報とに基づいて前記グループを抽出し、抽出した前記グループを前記第２の記憶部に登録するグループ抽出ステップと、
前記監視センタが、前記第２の記憶部に登録済みの前記グループがあるか否かを判断し、前記登録済みのグループがある場合には、新たに登録された前記グループが前記登録済みのグループと同じ構成であるか否かを判断するグループ判断ステップと、
を含み、
前記第２の通信ステップは、前記新たに登録されたグループが前記登録済みのグループと異なる場合に、前記端末装置を監視する利用者の携帯端末にその旨を通知すること、
を特徴とするグループ情報監視方法。
【発明の詳細な説明】
【技術分野】
【０００１】
本発明は、無線通信により利用者のグループ情報を監視するグループ情報監視システムおよびグループ情報監視方法に関する。
【背景技術】
【０００２】
従来から、児童の人間関係のデータを取得する手段として、コミュニケーションロボットなどの近接装置が利用されている。
【０００３】
児童の人間関係のデータを取得する目的は、いじめの早期発見と未然防止にある。いじめは、どの学校でも、どの児童にでも起こりうる問題であり、児童の心を深く傷付け、人格形成に悪影響を及ぼす大変憂慮すべき問題となっている。
【０００４】
近接装置を用いる例としては、複数の構成員同士の「好き」または「嫌い」などの関係を把握するためのシステムについて、構成員の行動に関するデータを取得するために、コミュニケーションロボットが用いる技術が提案されている（例えば、特許文献１参照）。
【０００５】
特許文献１の技術では、構成員が、同時にコミュニケーションロボットに集まったか、誰もいない時にだけ近づいたか、他の構成員が来たときに立ち去ったかなどの行動をもとに、構成員の間での「好き」または「嫌い」の相関図を作成するものである。
【０００６】
また、このようにして得られた情報をもとに、仲良しグループや嫌われ者を見つけ、学校では生徒指導などに役立てることができるとする技術である。
【先行技術文献】
【特許文献】
【０００７】
【特許文献１】特開２００５−１３１７４８号公報
【発明の概要】
【発明が解決しようとする課題】
【０００８】
しかしながら、特許文献１に記載の技術によれば、人間関係のデータを取得する手段としてコミュニケーションロボットなどの接近装置が必要であり、接近装置が設置された場所でしかデータを取得できなかった。
【０００９】
そのため、データを取得できる場所が限られているとともに、接近装置（コミュニケーションロボット）に興味のない児童のデータは取得できず、一部の児童のデータしか取得できないおそれがあった。
【００１０】
本発明は、上記に鑑みてなされたものであって、監視対象者のグループ構成に関するデータを、確実に取得するグループ情報監視システムを提供することを目的とする。
【課題を解決するための手段】
【００１１】
上述した課題を解決し、目的を達成するために、本発明は、端末装置と、前記端末装置にネットワークで接続された監視センタとを備えたグループ情報監視システムであって、前記端末装置は、第１の記憶部と、所定の時間間隔で、所定の距離の範囲内に他の端末装置から、前記他の端末装置を一意に識別するための識別情報を無線通信により受信することにより、前記他の端末装置の存在を検知する近接通信部と、前記他の端末装置から前記識別情報を受信した場合には、受信時刻と受信した前記識別情報とを対応付けてログ情報として前記第１の記憶部に記録し、前記他の端末装置から前記識別情報を受信しなかった場合には、前記近接通信部による通信時刻を前記ログ情報として前記第１の記憶部に記録するログ記録部と、前記ログ情報を前記監視センタに送信する第１の通信部と、を備え、前記監視センタは、第２の記憶部を備え、前記端末装置から前記ログ情報を受信する第２の通信部と、受信した前記ログ情報から、前記受信時刻と受信した前記識別情報とに基づいて前記グループを抽出し、抽出した前記グループを前記第２の記憶部に登録するグループ抽出部と、前記第２の記憶部に登録済みの前記グループがあるか否かを判断し、前記登録済みのグループがある場合には、新たに登録された前記グループが前記登録済みのグループと同じ構成であるか否かを判断するグループ判断部と、を備え、前記第２の通信部は、前記新たに登録されたグループが前記登録済みのグループと異なる場合に、前記端末装置を監視する利用者の携帯端末にその旨を通知すること、を特徴とする。
【００１２】
また、本発明は、端末装置と監視センタで実行されるグループ情報監視方法であって、前記端末装置が、所定の時間間隔で、所定の距離の範囲内に他の端末装置から、前記他の端末装置を一意に識別するための識別情報を無線通信により受信することにより、前記他の端末装置の存在を検知する近接通信ステップと、前記端末装置が、前記他の端末装置から前記識別情報を受信した場合には、受信時刻と受信した前記識別情報とを対応付けてログ情報として前記第１の記憶部に記録し、前記他の端末装置から前記識別情報を受信しなかった場合には、前記近接通信部による通信時刻を前記ログ情報として前記第１の記憶部に記録するログ記録ステップと、前記端末装置が、前記ログ情報を前記監視センタに送信する第１の通信ステップと、前記監視センタが、前記端末装置から前記ログ情報を受信する第２の通信ステップと、前記監視センタが、受信した前記ログ情報から、前記受信時刻と受信した前記識別情報とに基づいて前記グループを抽出し、抽出した前記グループを前記第２の記憶部に登録するグループ抽出ステップと、前記監視センタが、前記第２の記憶部に登録済みの前記グループがあるか否かを判断し、前記登録済みのグループがある場合には、新たに登録された前記グループが前記登録済みのグループと同じ構成であるか否かを判断するグループ判断ステップと、を含み、前記第２の通信ステップは、前記新たに登録されたグループが前記登録済みのグループと異なる場合に、前記端末装置を監視する利用者の携帯端末にその旨を通知すること、を特徴とする。
【発明の効果】
【００１３】
本発明によれば、携帯端末を利用して行動のデータを収集することから、データ取得可能な範囲を近接装置設置付近に制限することなく、生徒の行動場所に関するデータを確実に取得することができるという効果を奏する。
【００１４】
また、収集されたデータをもとにグループを抽出し、グループの構成に変化が生じた場合は、管理者に注意喚起のメール等を送信して知らせるので、いじめなどの問題を早期に発見し対処することが可能となるという効果を奏する。
【図面の簡単な説明】
【００１５】
【図１】図１は、本実施の形態にかかるグループ情報監視システムの概要を示す説明図である。
【図２】図２は、本実施の形態にかかるグループ情報監視システムの構成を示すブロック図である。
【図３】図３は、直接的な通信を示す図である。
【図４】図４は、アドホックモードによる通信を示す図である。
【図５】図５は、グループ抽出の手順を示すフローチャートである。
【図６】図６は、ログ情報の一例を示す図である。
【図７】図７は、抽出されたグループの一例を示す図である。
【図８−１】図８−１は、比較の基準となる登録済みのグループの一例を示す図である。
【図８−２】図８−２は、ログ情報をもとに抽出されたグループの一例を示す図である。
【発明を実施するための形態】
【００１６】
以下に添付図面を参照して、この発明にかかるグループ情報監視システムの最良な実施の形態を詳細に説明する。
【００１７】
図１は、本実施の形態にかかるグループ情報監視システムの概要を示す説明図である。図１に示すように、児童Ａの携帯端末１００を中心としたネットワーク３００と、児童Ｂの携帯端末２０１を中心としたネットワーク３１０が構成されている。
【００１８】
ネットワーク３００の範囲において、児童Ａの携帯端末１００は、児童Ｂの携帯端末２０１のＩＤを受信し、さらに、中継機能を有するアドホックモードでの通信により、児童Ｂの携帯端末２０１が記憶する児童Ｃの携帯端末２０２のＩＤをも同時に受信する。
【００１９】
児童Ａが携帯する携帯端末１００は、児童Ｂの携帯端末２０１と、児童Ｃの携帯端末２０２を受信したログ情報を通報先である監視センタ１５０に送信する。なお、児童Ｂの携帯端末２０１、児童Ｃの携帯端末２０２も、それぞれのログ情報を監視センタ１５０に送信する。
【００２０】
監視センタ１５０では、受信したログ情報からグループを抽出し、抽出したグループの構成が保有しているデータと相違があることを発見すると、受信したログ情報を学校のＰＣや、保護者の携帯端末６００（図１）にメールを送信する。
【００２１】
なお、監視センタ１５０を経由せずに直接学校や、保護者の携帯電話にログ情報を送信する構成としてもよい。
【００２２】
以上が、本実施の形態にかかるグループ構成情報制御システムの構成を示す全体図の説明である。
【００２３】
次に、グループ情報監視システムを構成する各機能を説明する。図２は、本実施の形態にかかるグループ情報監視システムの構成を示すブロック図である。
【００２４】
図２に示すように、本実施の形態のグループ情報監視システムでは、携帯端末１００と監視センタ１５０とが携帯電話回線網やインターネットなどのネットワークに接続された構成となっている。
【００２５】
携帯端末１００は、近接通信部１０１と、ログ記録部１０２と、制御部１０３と、通信部１０４と、メモリ１０６とを主に備え、ネットワークを介して監視センタ１５０と接続されている。また、監視センタ１５０は、グループ記録部１５１と、グループ抽出部１５２と、グループ判断部１５３とを主に備え、ネットワークを介して携帯端末１００と接続されている。
【００２６】
まず、携帯端末１００の各部の機能について説明する。
【００２７】
近接通信部１０１は、無線通信手段の１つであるＺｉｇｂｅｅ（登録商標）により、所定の距離（例えば２〜３ｍ程度）を無線通信可能な範囲（以下、「ネットワーク」という。）とし、ネットワークの範囲内にある特定のＩＤを記憶する他の携帯端末を検索する。
【００２８】
具体的には、他の端末装置からＩＤを受信することにより、他の携帯端末を検索し、他の携帯端末からＩＤを受信しなかった場合には、ネットワークの範囲内に他の端末装置が存在しないこととなる。
【００２９】
また、近接通信部１０１は、アドホックモード（ad hoc mode）と呼ばれる中継機能を有する通信手段を備えており、それぞれの携帯端末において、その他の携帯端末が検知された場合は、検知された携帯端末のＩＤを中継し各携帯端末に送信する。なお、アドホックモードについては後述する。
【００３０】
なお、ここで使用するＺｉｇｂｅｅ（登録商標）の周波数帯は、２、４ＧＨｚ、通信速度は、２５０ｋｂｐｓ、通信距離は、１０〜７５ｍ、端末の送信出力１ｍＷ、接続可能数は、約６５、０００個とする。
【００３１】
なお、本実施の形態では、無線通信手段としてＺｉｇｂｅｅ（登録商標）を使用するが、無線通信手段はこれに限定されず、ｂｌｕｅｔｏｏｔｈ（登録商標）等他の無線通信手段であってもよい。
【００３２】
ログ記録部１０２は、近接通信部１０１により他の携帯端末からＩＤを受信した場合には、受信した他の携帯端末のＩＤと受信した時刻を、他の携帯端末からＩＤを受信しなかった場合には、通信した時刻を、ログ情報としてメモリ１０６に記録する。
【００３３】
メモリ１０６は、携帯端末１００を制御するための制御プログラム、無線通信可能な範囲等の設定情報、ログ情報などを記憶する。
【００３４】
通信部１０４は、ログ情報を、携帯電話回線や、無線ＬＡＮ等により、監視センタ１５０に送信する。なお、監視センタ１５０への送信は、定期的に送信してもよいし、他の通信を行うときに合わせて送信してもよい。
【００３５】
制御部１０３は、制御プログラムに基づき携帯端末１００を制御する。
【００３６】
次に、監視センタ１５０の各部の機能について説明する。
【００３７】
グループ抽出部１５２は、通信部１０４から受信したログ情報を解析して、グループ情報を抽出する。具体的には、ログ情報をもとに長時間受信したＩＤ、または、受信頻度が高いＩＤに対応する携帯端末を所有する児童を同じグループとして抽出する。
【００３８】
グループ記録部１５１は、グループ抽出部１５２により抽出されたグループをＨＤＤ１５６に記録する。ここで、グループとは、児童が行動を共にする児童の集まりであり、本実施の形態では、児童が所有する携帯端末のＩＤをグループ分けすることにより、児童のグループを抽出する。
【００３９】
グループ判断部１５３は、ＨＤＤ１５６に既に登録された登録済みグループがあるか否かを確認し、登録済みのグループがある場合には、今回新たに記録されたグループの構成を登録済みのグループの構成と比較し、グループの構成に変化がないか否かを判断する。すなわち、グループ判断部１５３は、登録済みのグループに属するＩＤと、新たに記録されたグループに属するＩＤとの差異があるかどうかを比較し、差異がある場合にグループの構成に変化があると判断する。
【００４０】
通信部１５４は、グループ判断部１５３により、グループの構成に変化があると判断された場合に、保護者の携帯端末または学校のＰＣ等にその旨を記載したメールを送信する。
【００４１】
次に、通信方法の種類について、直接的な通信方法とアドホックモードによる通信方法について説明する。図３は、直接的な通信方法の説明図であり、図４は、アドホックモードによる通信の説明図である。
【００４２】
まず、直接的な通信方法について説明する。直接的な通信では、各携帯端末は、自己を中心とするネットワークの範囲内（本実施の形態では、２ｍから３ｍ以内とする）にある他の携帯端末のＩＤだけを受信する。
【００４３】
図３では、児童Ａの携帯端末１００を中心としたネットワーク４００と、児童Ｂの携帯端末２０１を中心としたネットワーク４１０と、児童Ｃの携帯端末２０２を中心としたネットワーク４２０と、児童Ｄの携帯端末２０３を中心としたネットワーク４３０とが存在する。
【００４４】
児童Ａの携帯端末１００は、ネットワーク４００の範囲内にある児童Ｂの携帯端末２０１と、児童Ｅの携帯端末２０４のＩＤを受信する。しかし、児童Ｃの携帯端末２０２および児童Ｄの携帯端末２０３のＩＤについては、ネットワーク４００の範囲内外にあるので受信しない。
【００４５】
次に、児童Ｂの携帯端末２０１は、ネットワーク４１０の範囲内にある児童Ａの携帯端末１００と、児童Ｃの携帯端末２０２のＩＤを受信する。しかし、児童Ｅの携帯端末２０４および児童Ｄの携帯端末２０３のＩＤについては、ネットワーク４１０の範囲外にあるので受信しない。
【００４６】
次に、児童Ｃの携帯端末２０２は、ネットワーク４２０の範囲内にある児童Ｂの携帯端末２０１と児童Ｄの携帯端末２０３のＩＤを受信する。しかし、児童Ａの携帯端末１００および児童Ｅの携帯端末２０４のＩＤについては、ネットワーク４２０の範囲外にあるので受信しない。
【００４７】
最後に、児童Ｄの携帯端末２０３は、ネットワーク４３０の範囲内にある児童Ｃの携帯端末２０２のＩＤだけを受信し、ネットワーク４３０の範囲外にある児童Ａの携帯端末１００、児童Ｂの携帯端末２０１、児童Ｅの携帯端末２０４のＩＤは受信しない。
【００４８】
次に、アドホックモードによる通信方法について説明する。ここで、アドホックモードとは、無線LANによる通信方式の一つであり、アクセスポイントを介さずに機器同士が直接通信を行なうモードのことをいう。
【００４９】
アドホックモードによる通信では、各携帯端末は、まず、自己を中心とするネットワークの範囲内にある他の携帯端末のＩＤを受信するが、加えて、中継機能により、受信した他の携帯端末が保有する他の携帯端末のＩＤをも受信し、この点が直接的な通信と異なる。
【００５０】
本実施の形態では、児童の携帯端末はこのアドホックモードで他の携帯端末と近距離通信を行ってＩＤを取得し、監視センタ１５０に送信しているので、監視センタ１５０によるグループの抽出処理やグループの判断処理の負担を、直接的な通信によりＩＤを取得する場合と比較して大幅に削減することが可能となる。
【００５１】
図４では、児童Ａの携帯端末１００を中心としたネットワーク５００と、児童Ｂの携帯端末２０１を中心としたネットワーク５１０と、児童Ｃの携帯端末２０２を中心としたネットワーク５２０と、児童Ｄの携帯端末２０３を中心としたネットワーク５３０と、児童Ｆの携帯端末２０５を中心としたネットワーク５４０と、児童Ｇの携帯端末２０６を中心としたネットワーク５５０とが存在する。
【００５２】
児童Ａの携帯端末１００は、まず、直接的な通信により、ネットワーク５００の範囲内にある児童Ｂの携帯端末２０１と児童Ｅの携帯端末２０４のＩＤを受信する。
【００５３】
次に、児童Ａの携帯端末１００は、中継機能により、自己が属するネットワーク５００を越えて、児童Ｂの携帯端末２０１を経由して、児童Ｂの携帯端末２０１が受信した児童Ｃの携帯端末２０２と、児童Ｄの携帯端末２０３のＩＤをも受信することとなる。
【００５４】
この中継機能により、監視センタ１５０は、児童Ａの携帯端末１００のログ情報から、グループ１が、児童Ａ、児童Ｂ、児童Ｃ、児童Ｄ、児童Ｅにより構成されるという情報を取得する。
【００５５】
なお、児童Ｆの携帯端末２０５と児童Ｇの携帯端末２０６は、直接的な通信により相互にＩＤを受信したログ情報を監視センタ１５０に送信する。監視センタ１５０は、これを受信し、グループ２は、児童Ｆと児童Ｇにより構成されるという情報を取得する。
【００５６】
このように、アドホックモードによる通信では、中継機能により各携帯端末からＩＤが全て交換されるため、監視センタ１５０側での照合処理を省くことができる。
【００５７】
また、グループの人数が増え、多少広範囲に広がってもグループ全員を検出することが可能であるという利点があるため、本実施の形態では、アドホックモードによる通信方法で他の携帯端末のＩＤを受信する。
【００５８】
なお、直接的な通信による場合には、監視センタ１５０において個々の携帯端末からのログ情報を組み合わせることにより、グループを導き出すこととなる。
【００５９】
次に、以上のように構成された本実施の形態の携帯端末１００および監視センタ１５０によるグループ抽出処理について説明する。図５は、取得されたログ情報を受信した監視センタ１５０によるグループ抽出の処理の手順を示すフローチャートである。
【００６０】
まず、近接通信部１０１は、ネットワーク内にある他の携帯端末を検索する（ステップＳ７０１）。具体的には、通信により、他の携帯端末のＩＤを受信する。
【００６１】
ログ記録部１０２は、近接通信部１０１により、他の携帯端末からＩＤが受信された場合には（ステップＳ７０２：Ｙｅｓ）、受信された他の携帯端末のＩＤと受信時刻をログ情報としてメモリ１０６に記録する（ステップＳ７０４）。
【００６２】
一方、近接通信部１０１により、他の携帯端末からＩＤが受信されなかった場合には（ステップＳ７０２：Ｎｏ）、ログ記録部１０２は、近接通信部１０１による通信時刻をログ情報としてメモリ１０６に記録する（ステップＳ７０３）。
【００６３】
通信部１０４は、ログ記録部１０２により記録されたログ情報を監視センタ１５０に送信する（ステップＳ７０５）。ここで、送信するタイミングについては、定期的な時間間隔で送信してもよいし、他の通信を行う際に合わせて送信してもよい。
【００６４】
次に、監視センタ１５０の通信部１５４は、携帯端末１００の通信部１０４からログ情報を受信する（ステップＳ７０６）。
【００６５】
グループ抽出部１５２は、受信したログ情報からグループを抽出する（ステップＳ７０７）。具体的には、ログ情報に記録されているＩＤのうち、長時間にわたって受信されているＩＤに対応する携帯端末を同一のグループとして抽出する。
【００６６】
なお、ログ情報に記録されているＩＤのうち、受信回数が最も多いＩＤに対応する携帯端末を同一のグループとして抽出することもできる。
【００６７】
グループ記録部１５１は、グループ抽出部１５２により抽出されたグループをＨＤＤ１５６にグループ情報として登録する（ステップＳ７０８）。
【００６８】
グループ判断部１５３は、ＨＤＤ１５６に既に登録されている登録済みのグループがあるか否かを確認し（ステップＳ７０９）、登録済みのグループがあることを確認した場合には（ステップＳ７０９：Ｙｅｓ）、新たに登録されたグループと登録済みのグループの構成に相違があるか否かを判断する（ステップＳ７１０）。
【００６９】
通信部１５４は、グループ判断部１５３によりグループの構成に相違があると判断された場合には（ステップＳ７１０：Ｙｅｓ）、グループの構成に相違がある旨のメールを学校のＰＣまたは携帯端末１００を携帯する児童の保護者の携帯端末にメールを送信する（ステップＳ７１１）。
【００７０】
一方、グループ判断部１５３によりグループの構成に相違があると判断されなかった場合には（ステップＳ７１０：Ｎｏ）、通信部１５４による通信は行われることなく、処理を終了する。
【００７１】
また、ステップＳ７０９に戻り、グループ判断部１５３によりＨＤＤ１５６に登録済みのグループがあるか否かが確認された結果（ステップＳ７０９）、登録済みのグループがないと判断された場合にも（ステップＳ７０９：Ｎｏ）、通信部１５４による通信は行われることなく処理を終了する。
【００７２】
次に、具体的な児童Ａの携帯端末１００のログ情報について説明する。図６は、携帯端末１００のログ情報を示す図である。ログ情報には、受信されたＩＤが記録されており、ここでは、ＩＤは、携帯端末に対応する番号となっている。
【００７３】
図６では、児童Ａは、７：４５に一人で登校し、７：４６に児童Ｂと合流し、続いて、７：５１には、さらに、児童Ｄ、児童Ｆと合流したことを示している。その後、児童Ａは、児童Ａの家から遠い家の児童Ｈおよび児童Ｊと合流し、８：０６に学校に到着したことを示す。
【００７４】
さらに、１５：３０は、児童Ａの下校時刻であり、家が近い児童Ｂ、Ｄ、Ｆと一緒であることを読み取ることができる。
【００７５】
その後、１５：３２から１５：３４までの間、児童Ｈの携帯端末を取得している。これは、児童Ｈが児童Ａに用事を伝えに来てから去るまでの時間である。
【００７６】
１６：４５には、児童Ａは、登下校をいつも共にする児童Ｂ、Ｄ、Ｆと一緒であり、１６：４６には、児童ＤとＦと別れている。その後、１６：５５までは、児童Ｂと一緒であるが、１６：５６に最後まで一緒だった児童Ｂとも別れたことを示している。
【００７７】
次に、ステップＳ７０７によるグループ抽出処理の詳細について説明する。監視センタ１５０のグループ判断部１５３は、携帯端末の通信部１０４から、定期的にあるいは他の通信のタイミングに合わせて、受信したログ情報を基にグループを抽出する。
【００７８】
まず、ログ情報を取得する時間帯については、学校に到着してから授業が終了するまでの間は、同じ学級の生徒が検出されるため、グループ情報の分析に利用するデータは、登校時、放課後、昼休みなどが好ましい。その上で、一緒にいる時間が長い者を同一グループとして抽出する。
【００７９】
図７は、監視センタ１５０のグループ抽出部１５２により抽出されたグループの一例を示す図である。まず、グループ１では、登下校時である７：３０から８：３０、および、１５：００から１８：００の時間帯は、携帯端末１００と、２０１と、２０３と、２０５が通信しているので、児童Ａと、Ｂと、Ｄと、Ｆで構成されている。
【００８０】
また、グループ２では、休み時間である１２：００から１３：００の時間帯は、携帯端末１００と、２０７と、２０８と、２０９が通信しているので、児童Ａと、Ｈと、Ｉと、Ｊで構成されている。
【００８１】
また、グループ３では、部活時間である１５：００から１８：００の時間帯は、携帯端末２０４と、２０５と、２０７と、２０８とが通信しているので、児童Ｅと、Ｆと、Ｈと、Ｉで構成されている。
【００８２】
このように、図７からは、グループ１から３と、グループに属さない児童Ｃ（携帯端末２０２）と児童Ｇ（携帯端末２０６）が抽出される。
【００８３】
なお、グループが抽出された場合は、必要に応じてグループに対するコメントを追記しておいてもよい。
【００８４】
監視センタ１５０のグループ判断部１５３は、その後、継続してグループの抽出を行い、グループ構成に変化がないかを監視する。例えば、児童Ｈ（携帯端末２０７）が３日間連続グループ２として抽出されなかった場合は、先生や保護者などの管理者に通知し、注意喚起する。
【００８５】
また、ここで、次のような状況を考慮することにより、グループ抽出の精度向上を図ることができる。
【００８６】
まず、遅刻、欠席、早退の情報を反映することである。児童が病気等で欠席した場合、その児童の携帯端末は他の児童の携帯端末で検知されない。そのため、各携帯端末からのログ情報をもとにグループを抽出すると、欠席した児童が属していたグループと一緒に行動していない旨の通知がなされてしまう。
【００８７】
そこで、児童が遅刻、欠席、早退など、グループとは一緒に行動できない状況が発生した場合は、その旨を登録できるようにすることが可能である。
【００８８】
例えば、現在所属しているグループと一緒に行動しているとみなす、または、現在所属しているグループと一緒に行動していない旨が判断されても、注意喚起の通知をキャンセルするなどにより無用な注意喚起のための通知を防止することができる。
【００８９】
次に、グループの形成理由を反映することである。グループが形成されるきっかけや存在理由は、「家が近い」「クラスが一緒」「部活が一緒」「塾が一緒」「遊び仲間」など様々である。
【００９０】
しかし、グループの存在理由によっては、一緒にいる時間が特定の時間帯に偏る場合もあるので、その時間帯を考慮することで、グループ抽出の精度を向上することができる。
【００９１】
また、部活動がきっかけで形成されたグループであれば、部活動中および部活動後の帰宅時に一緒に行動することが考えられるので、部活動時間帯および終了後のデータをもとにグループを抽出した結果を利用することができる。
【００９２】
さらに、仲の良いグループであれば、時間帯に関係なく、一日のうちに頻繁に一緒にいることが考えられるので、長時間一緒にいたかだけでなく、一日のうちに何度一緒にいたかをもとにグループ抽出するようにすることも効果的である。
【００９３】
また、対象となる児童の数が増えるにつれて形成されるグループも増加する。グループが増加した場合には、時間帯ごとに抽出すべきグループを絞り込むことにより比較対象が少なくなるので、グループ抽出の精度を向上させることができる。
【００９４】
加えて、一日全体を通してログ情報の解析に加え、時間帯ごとの解析を行うことにより、グループ抽出の精度を向上させることを期待できる。
【００９５】
次に、グループ抽出結果に基づく通知処理について説明する。図８−１は、ＨＤＤ１５６に登録されている登録済みのグループであり、比較の基準となるグループの一例を示す図であり、図８−２は、今回新たに抽出されたグループの一例を示す図である。
【００９６】
図８−１では、基準となるグループ１から３が登録されており、図８−２では、４／１０から４／１３のログ情報をもとに抽出されたグループの情報と、基準となるグループの情報を順に比較していく。
【００９７】
まず、４／１０については、グループ１からグループ３および未所属の児童すべてに、基準となるグループの構成と相違点がない。
【００９８】
しかし、４／１１から４／１３ついては、休み時間のグループ２で、基準となるグループでは一緒であった児童Ｉの携帯端末２０８を検知しておらず、児童Ｉが３日間連続して一緒に行動していないことを示している。
【００９９】
そこで、監視センタ１５０の通信部１５４は、児童Ｉが休み時間のグループ２と一緒に行動していない旨の通知を保護者に行う。
【０１００】
この通知をもとに、先生などが児童Ｉに対応する児童Ｈの様子を観察すること等により、休み時間のグループ２との間で喧嘩やいじめなどの問題が発生していないかを確認することができるので、問題が発生していた場合に早期に対応することが可能となる。
【０１０１】
ここで、グループ抽出結果を比較するサイクル、頻度としては、次のようなケースが考えられる。
【０１０２】
まず、一日単位でグループ抽出を行い、例えば３日連続して所属グループと一緒に行動しなかった場合に通知することが可能である。
【０１０３】
また、一日単位でのグループ抽出結果を一週間まとめて比較し、例えば、それまでに週に３日程度一緒に行動していたが、２週間連続で週に１日しか一緒に行動していない場合に通知することも可能である。
【０１０４】
さらに、一日あるいは一週間単位で一緒に行動した回数をカウントしておき、標準偏差を用いて判断する等によりこの回数が大きく変化した場合に通知することも可能である。
【０１０５】
なお、監視のサイクルは、グループごとに想定される頻度に応じて設定すれば、より精度の高い監視が期待できる。グループが形成された理由や人員構成などにより、グループが一緒に行動する頻度などは異なるからである。
【０１０６】
また、通知にあたっても、確認の必要性を、大、中、小など傾向の変化の大きさに応じて通知内容を変更するように設定してもよい。通知内容を段階的に設定することで、通知を受けた保護者が、重要性、緊急性の高いものから優先的に対応可能となるからである。
【０１０７】
このように、本発明によれば、携帯端末を利用して行動のデータを収集することから、生徒の行動に関するデータを確実に取得することができる。
【０１０８】
また、収集されたデータをもとにグループを抽出し、グループの構成に変化が生じた場合は、管理者に注意喚起のメール等を送信して知らせるので、いじめなどの問題を早期に発見し対処することが可能となる。
【符号の説明】
【０１０９】
１００、２０１−２０９、６００  携帯端末
１０１  近接通信部
１０２  ログ記録部
１０３  制御部
１０４、１５４  通信部
１５０  監視センタ
１５１  グループ記録部
１５２  グループ抽出部
１５３  グループ判断部
３００、３１０、４００、４１０、４２０、４３０、５００、５１０、５２０、５３０、５４０、５５０  ネットワーク
【図１】
2010176558.tif 000003
【図２】
2010176558.tif 000004
【図３】
2010176558.tif 000005
【図４】
2010176558.tif 000006
【図５】
2010176558.tif 000007
【図６】
2010176558.tif 000008
【図７】
2010176558.tif 000009
【図８−１】
2010176558.tif 000010
【図８−２】
2010176558.tif 000011